(57)【特許請求の範囲】
【請求項１】
懸吊物を吊り下げる支持杆の上端部に設けられる吊り金具の制振構造において、
該吊り金具は、支持杆の上端部側に水平に固定される板体状の移動ベースと、
該移動ベースを水平移動自在な状態で収納する底部に支持杆を貫通せしめる貫通孔が形成された箱体状の受けユニットと、
該受けユニットの底部上面と移動ベースの下面との相互に固着される弾性緩衝体と、
受けユニットの開口上部を施蓋すると共に、受けユニット内の移動ベースの上面に当接するユニットカバーとを備え、
懸吊面に固定された受けユニットに横揺れが加わると、受けユニット内の移動ベースがユニットカバーの下面に接しながら弾性緩衝体が横方向に撓むことで水平移動するように構成したことを特徴とする吊り金具用制振構造。
【請求項２】
前記移動ベースの上面と前記ユニットカバーの下面とのいずれか一方又は両方の面に低摩擦体を設け、前記移動ベースの上面と前記ユニットカバーの下面との接触抵抗を軽減するように構成した請求項１記載の吊り金具用制振構造。
【請求項３】
前記弾性緩衝体は、前記支持杆の周側面を囲むように複数配置され、各弾性緩衝体は、前記移動ベースの下面と前記受けユニットの上面とに固着されて上下に重なる弾性ブロックと、上下に重なった弾性ブロック相互を水平移動自在に連結する弾性連結具とを備え、上下に重なった前記弾性ブロック相互の重合面の両方の面に夫々スライド基板を固着し、前記移動ベースとスライド基板との二か所でスライド移動するように構成した請求項１記載の吊り金具用制振構造。
【発明の詳細な説明】
【技術分野】
【０００１】
本発明は、例えば１本の懸吊杆に吊り下げたカメラやテレビモニター等の傾きを防止しながら安全に制振することができ、しかも、大型のテレビモニター等の重い懸吊物を吊り下げる場合でも、大きな傾きを防止して設置することができる吊り金具用制振構造に関する。
【背景技術】
【０００２】
地震等の振動が加わった場合に、照明器具に生じる大きな揺れを防止する耐震吊り下げ照明器具が特許文献１に記載されている。この照明器具は建物に予め支持部を設け、この支持部上に球体を介して可動部を載せることにより、該可動部を水平方向に自在に動くように配置したものである。そして、この可動部からチェーン、パイプ、紐などで吊り具を吊り下げ、該吊り具に照明器具を装着するように構成している。
【０００３】
この耐震吊り下げ照明器具によると、可動部が水平方向に自在に動くことで、建物から照明器具に振動が伝わりにくくなり、照明器具の揺れを低減させることができるというものである。
【０００４】
また、配管類、配線類などの振動や騒音を低減させる吊り具が特許文献２に記載されている。この吊り具は、天井に固定支持される吊り棒を筒状接続体の上側板面に固定し、被吊下体を支持する吊り棒を筒状接続体の下側板面に固定すると共に、この吊り棒の上端部と下側板面との間に制振動作用を有する金属製環状体および防振性環状体で構成する制振部材を装着し、吊り棒の下端部に吊り下げる被吊下体の振動を抑制する構成である。
【０００５】
この吊り具によると、制振部材を備えた箱型の筒状接続体により、被吊り下げ体から発生する振動を低減することができるというものである。
【先行技術文献】
【特許文献】
【０００６】
【特許文献１】特開２００１-３３８５１９号公報
【特許文献２】特開２００３-２１４５６０号公報
【発明の概要】
【発明が解決しようとする課題】
【０００７】
特許文献１に記載の耐震吊り下げ照明器具の場合、可動部が水平方向に往復移動して振動を抑制するので、照明器具の耐震構造として使用可能であるとしても、移動変位が大きいため、カメラやテレビモニター等の精密機器の耐震構造として使用することはできない。すなわち、可動部はローラーにて移動する構成であるから、相対加速度並びに移動量も大きくなり、可動部の前後が側壁に衝突する際には極めて大きな衝撃を受けることとなる。このような衝撃は、カメラやテレビモニター等の精密機器に対して致命的なダメージを与える虞がある。
【０００８】
しかも、特許文献１の構成によると、上下動の振動を減衰することは困難である。すなわち、天井等に吊り下げるカメラやテレビモニター等の精密機器は、日常に生じる微振動に対しても制振する必要がある。ところが、特許文献１に記載の耐震構造でカメラやテレビモニター等を懸吊すると、上下振動が直接カメラやテレビモニター等に加わることになる。この振動は、精密機器等にとって多くの不都合を生じさせるため、耐震構造として使用することはできない。
【０００９】
また、特許文献２に記載の吊り具は、懸吊物の振動を抑止する構成であるから２本の吊り具を使用している。一方、天井等に吊り下げるカメラやテレビモニター等は、通常１本の支持杆で吊り下げられている。更に、天井等に吊り下げられているカメラやテレビモニター等は、地震等の映像を伝える場合も想定される。ところが、１本の支持杆でカメラやテレビモニター等を支持していると、天井等の横揺れが支持杆に伝わりカメラやテレビモニター等が振り子のように大きく横揺れすることになり、カメラやテレビモニター等の画像が極めて見難くなる不都合が生じる。
【００１０】
しかも、特許文献２に記載のような弾性材を有する防振構造を利用して、１本の支持杆に大型のテレビモニター等を吊り下げた場合、支持杆に加わる荷重によって防振構造の弾性材の変形に偏りが生じ、吊り下げた懸吊物が傾いてしまうことがある。テレビモニター等の設置位置が鉛直下方から大きく傾いていると、見た目に違和感が生じるばかりでなく、防振構造に想定外の偏った負荷が掛かるので、安全上の問題も発生する。
【００１１】
そこで本発明は、上述の課題を解消すべく創出されたもので、例えば１本の懸吊杆に吊り下げたカメラやテレビモニター等の精密機器であっても制振時の傾きを防止しながら安全に制振することができ、しかも、大型のテレビモニター等の重い懸吊物を吊り下げる場合でも、設置時の大きな傾きを防止して吊り下げることができる吊り金具用制振構造の提供を目的とするものである。
【課題を解決するための手段】
【００１２】
上述の目的を達成すべく本発明における第１の手段は、懸吊物Ｑを吊り下げる支持杆Ｐの上端部に設けられる吊り金具の制振構造において、該吊り金具は、支持杆の上端部側に水平に固定される板体状の移動ベース１と、該移動ベース１を水平移動自在な状態で収納する底部に支持杆Ｐを貫通せしめる貫通孔２Ａが形成された箱体状の受けユニット２と、該受けユニット２の底部上面と移動ベース１の下面との相互に固着される弾性緩衝体３と、受けユニット２の開口上部を施蓋すると共に、受けユニット２内の移動ベース１の上面に当接するユニットカバー４とを備え、懸吊面に固定された受けユニット２に横揺れが加わると、受けユニット２内の移動ベース１がユニットカバー４の下面に接しながら弾性緩衝体３が横方向に撓むことで水平移動するように構成したことにある。
【００１３】
第２の手段は、前記移動ベース１の上面と前記ユニットカバー４の下面とのいずれか一方又は両方の面に低摩擦体５を設け、前記移動ベース１の上面と前記ユニットカバー４の下面との接触抵抗を軽減するように構成したものである。
【００１４】
第３の手段において、前記弾性緩衝体３は、前記支持杆Ｐの周側面を囲むように複数配置され、各弾性緩衝体３は、前記移動ベース１の下面と前記受けユニット２の上面とに固着されて上下に重なる弾性ブロック３Ａと、上下に重なった弾性ブロック３Ａ相互を水平移動自在に連結する弾性連結具３Ｂとを備え、上下に重なった前記弾性ブロック３Ａ相互の重合面の両方の面に夫々スライド基板３Ｃを固着し、前記移動ベース１とスライド基板３Ｃとの二か所でスライド移動するように構成したものである。
【発明の効果】
【００１５】
請求項１のように、受けユニット２内の移動ベース１がユニットカバー４の下面に接しながら弾性緩衝体３が横方向に撓むことで水平移動するように構成したことにより、地震等の大きな振動を受けた場合に、支持杆Ｐに吊り下げられている懸吊物Ｑは移動ベース１に伴って水平移動しながら制振される。しかも、この水平移動は弾性緩衝体３の弾性力によって生じるものであるから、移動時の加速度は生じることなく元の位置まで戻るようになる。この結果、懸吊物Ｑがカメラやテレビモニター等の精密機器でもこの懸吊物Ｑにダメージを与えずに制振することができる。また、これらの懸吊物Ｑが振り子のように大きく横揺れしてカメラやテレビモニター等の画像が極めて見難くなるといった不都合も解消された。
【００１６】
また、日常的な上下振動が懸吊物Ｑに加わる場合でも、弾性緩衝体３の弾性力が上下の振動を吸収するので、懸吊物Ｑがカメラやテレビモニター等の精密機器でもこの懸吊物Ｑにダメージを与えずに制振することができる。
【００１７】
更に、支持杆Ｐ上端部に固定した移動ベース１は、常にユニットカバー４に接した状態になっているので、懸吊物Ｑが大型のテレビモニター等の如く重い懸吊物Ｑであっても弾性緩衝体３の大きな偏りを防止することができる。この結果、大型のテレビモニター等の重い懸吊物Ｑを１本の支持杆Ｐにて吊り下げる場合に、懸吊物Ｑが大きく傾くといった虞は解消された。
【００１８】
請求項２のように、移動ベース１の上面とユニットカバー４の下面とのいずれか一方又は両方の面に低摩擦体５を設け、移動ベース１の上面とユニットカバー４の下面との接触抵抗を軽減するように構成したことで、僅かな横揺れにでも反応して制振することが可能になる。
【００１９】
請求項３の如く、弾性緩衝体３は、前記支持杆Ｐの周側面を囲むように複数配置され、各弾性緩衝体３は、前記移動ベース１の下面と前記受けユニット２の上面とに固着されて上下に重なる弾性ブロック３Ａと、上下に重なった弾性ブロック３Ａ相互を水平移動自在に連結する弾性連結具３Ｂとを備え、上下に重なった前記弾性ブロック３Ａ相互の重合面の両方の面に夫々スライド基板３Ｃを固着し、前記移動ベース１とスライド基板３Ｃとの二か所でスライド移動するように構成しているので、弾性緩衝体３の移動範囲や水平移動の距離を大きくすることができる。
【００２０】
すなわち、受けユニット２に入力された水平地震力は、弾性緩衝体３のスライド基板３Ｃを介して移動ベース１に伝達される。その際、摩擦により応答加速度を低減することができる。それに伴い水平移動量も小さくなる。更に、ユニットカバー４と移動ベース１との間にも低摩擦体５を挿入しているので水平移動をスムーズにしている。また、上下に重なる弾性ブロック３Ａにより、上下動に対する衝撃力を緩和させることができる。この結果、大きな振動にも耐え得る制振作用を奏するものである。
【図面の簡単な説明】
【００２１】
【図１】本発明の一実施例を示す側面図である。
【図２】本発明の一実施例を示す分解した側面図である。
【図３】本発明の移動ベースが水平移動する状態を示す要部側面図である。
【図４】（イ）乃至（ハ）は移動ベースの移動位置を示す概略平面図である。
【図５】（イ）乃至（ハ）は移動ベースの移動位置を示す概略側面図である。
【図６】本発明の弾性緩衝体の一実施例を示す斜視図である。
【図７】本発明の弾性緩衝体の一実施例を示す平面図である。
【図８】本発明の弾性緩衝体の一実施例を示す側面図である。
【図９】本発明の弾性緩衝体の一実施例を示す側断面図である。
【発明を実施するための形態】
【００２２】
本発明によると、支持杆にて天井等に吊り下げたカメラ、テレビモニター等の懸吊物に地震等の振動が加わった場合に、懸吊物にダメージを与えずに制振することができ、しかも、大型のテレビモニター等の重い懸吊物を吊り下げる場合でも、懸吊物の吊り下げ角度が大きく傾くのを防止するといった当初の目的を達成した。
【００２３】
以下、本発明の実施例を説明する。本発明制振構造は、懸吊物Ｑを吊り下げる支持杆Ｐの上端部に設けられる吊り金具を制振するものである。例えば、天井等の任意の懸吊面に固定して支持杆Ｐを吊り下げ、この支持杆Ｐの下端部側に、例えばカメラやテレビモニター等を支持する際に、地震等の比較的大きな振動や日常的に発生する比較的小さな振動を効率良く制振するように構成している。
【００２４】
本発明の基本構成は、移動ベース１、受けユニット２、弾性緩衝体３、ユニットカバー４を備えたものである（図１参照）。
【００２５】
移動ベース１は、支持杆の上端部側に水平に設けられた板状部材である（図２参照）。図示例では、金属製の移動ベース１の中央に支持杆Ｐの上端部を固定した状態を示している。そして、この支持杆Ｐの下端部側に、カメラやテレビモニター等の精密機器の懸吊物Ｑを支持するものである（図５参照）。
【００２６】
受けユニット２は、移動ベース金具１を収納するように構成した箱体状を成している（図２参照）。この受けユニット２は、移動ベース１よりも一回り大きく形成され、底部には支持杆Ｐを貫通せしめる貫通孔２Ａが形成されている。この貫通孔２Ａも支持杆Ｐの太さよりも広い径を有し、受けユニット２の内部の移動ベース１が水平方向に移動できるように収納している（図４参照）。
【００２７】
弾性緩衝体３は、受けユニット２の上面と移動ベース１の下面との間に固着される弾性部材である。受けユニット２の内部では、この弾性緩衝体３を介して移動ベース１が収納されている（図１参照）。この弾性緩衝体３の弾性力及び可撓性にて弾性緩衝体３が横向きに圧縮され撓むことで移動ベース１が水平移動するように構成している。弾性緩衝体３は、天然・合成ゴム系などの材質で構成されるもので、後述するように複層構造のブロック形状に形成することができる（図６参照）。また、弾性緩衝体３を単層のブロック形状に形成することも可能である（図示せず）。
【００２８】
弾性緩衝体３は、支持杆Ｐの周側面を囲むように複数配置されている（図４参照）。図示例の弾性緩衝体３は、弾性ブロック３Ａ、弾性連結具３Ｂ、スライド基板３Ｃ、弾性カバー３Ｄを備えた複層構造を成し、このスライド基板３Ｃにて移動ベース１が水平移動するように構成している（図６参照）。
【００２９】
弾性ブロック３Ａは、上下に重なる対を成したブロック状の弾性体で、各弾性ブロック３Ａの間に一対のスライド基板３Ｃが接着されると共に、上下の弾性ブロック３Ａはそれぞれ弾性カバー３Ｄに接着されている（図８参照）。そして、この弾性カバー３Ｄを介して受けユニット２と移動ベース１とに弾性緩衝体３の上下面が固着される構造になっている。（弾性連結具３Ｂの記載は次の段落に移動しました）
【００３０】
弾性連結具３Ｂは、低硬度のゴム材からなり、上下に重なった弾性ブロック３Ａ相互を水平移動自在に連結する帯状部材で、上下に重なった弾性ブロック３Ａ相互が水平移動した際に、伸長した後、弾性連結具３Ｂの弾性力にて原点復帰するように設けてある。図示例では、弾性ブロック３Ａの間に接着した上下のスライド基板３Ｃに弾性連結具３Ｂを接着する接着部３Ｂａを設けて連結している（図７、図９参照）。そして、このスライド基板３Ｃを介して上下の弾性ブロック３Ａが元の位置に戻るものである。弾性連結具３Ｂは、水平時に発生する、せん断変位を拘束することのないように構成したものである。
【００３１】
スライド基板３Ｃは、上下に重なった弾性ブロック３Ａ相互の重合面に配置される板状の滑り部材で、重なった弾性ブロック３Ａの重合面の接触抵抗を軽減する板状部材である。このスライド基板３Ｃは非弾性材にて形成されている。このスライド基板３Ｃは、フッ素樹脂シート、高密度ポリエチレンなど高分子シートを使用する外、ステンレスを含む金属板にフッ素樹脂加工、高密度ポリエチレン加工などを施したものを使用することも可能である。
【００３２】
このような弾性緩衝体３を使用すると、弾性緩衝体３に横揺れが加わると、上下のブロック３Ａが横方向に撓むことで、移動ベース１と共に支持杆Ｐや懸吊物Ｑが水平に移動する（図５参照）。次に弾性連結具３Ｂの弾性力にて弾性ブロック３Ａが元の位置に戻される。これを繰り返しながら横揺れを減衰する。また、弾性緩衝体３に上下の振動が加わった場合は、弾性ブロック３Ａの弾性力にて常時制振することになる。
【００３３】
ユニットカバー４は、受けユニット２の開口上部を施蓋する板状部材で、ユニットカバー４を固定した受けユニット２と共に懸吊面に固定される（図５参照）。そして、移動ベース１が弾性緩衝体３の弾性力やスライド基板３Ｃで水平移動する場合は、このユニットカバー４の下面に移動ベース１の上面が接しながら水平移動するように構成している（図３参照）。図示例では、移動ベース１の上面に低摩擦体５を設け、移動ベース１の上面とユニットカバー４の下面との接触抵抗を軽減するように構成している。この低摩擦体５は、低摩擦テープ等のシート状を成し、移動ベース１の上面とユニットカバー４の下面との両面や、ユニットカバー４の下面のみに設けることもできる。
【００３４】
また、図示のユニットカバー４において、受けユニット２の貫通孔２Ａと重なる位置に貫通孔４Ａを設けている。そして、支持杆Ｐの側面が受けユニット２の貫通孔２Ａに当接する際に、支持杆Ｐの上端部の側面もユニットカバー４の貫通孔４Ａに同時に当接することで、支持杆Ｐの傾き防止効果を高めるように構成している（図３参照）。
【００３５】
尚、本発明の弾性緩衝体３の構成や設置位置は図示例に限定されるものではなく、本発明の要旨を変更しない範囲で自由に設計変更することができる。また、本発明の使用例も精密機器に限られるものではなく、支持杆にて支持する任意の懸吊物を吊り下げることが可能である。
【符号の説明】
【００３６】
Ｐ  支持杆
Ｑ  懸吊物
１  移動ベース
２  受けユニット
２Ａ  貫通孔
３  弾性緩衝体
３Ａ  弾性ブロック
３Ｂ  弾性連結具
３Ｂａ  接着部
３Ｃ  スライド基板
３Ｄ  弾性カバー
４  ユニットカバー
４Ａ  貫通孔
５  低摩擦体
【図１】
0006560964.tif 000002
【図２】
0006560964.tif 000003
【図３】
0006560964.tif 000004
【図４】
0006560964.tif 000005
【図５】
0006560964.tif 000006
【図６】
0006560964.tif 000007
【図７】
0006560964.tif 000008
【図８】
0006560964.tif 000009
【図９】
0006560964.tif 000010